(57)【要約】【課題】室外機の冷凍サイクル用アルミニウム製配管およびアルミニウムケース製温度センサーの腐食を防止しながら管同士を密着固定することができる空気調和機を提供すること。【解決手段】室外機の冷凍サイクル用配管をアルミニウム製（アルミニウム合金も含む）とし、前記配管に密着固定し前記配管内を流れる冷媒の温度を計測する温度センサーの外郭ケースもアルミニウム製（アルミニウム合金も含む）とした、空気調和機において、前記温度センサーを前記配管に密着固定するステンレス製板バネ保持具の表面に塗装を施した構成とした。【選択図】図１
2013108719.tif 000002
【特許請求の範囲】
【請求項１】
室外機の冷凍サイクル用配管をアルミニウム製（アルミニウム合金も含む）とし、前記配管に密着固定し前記配管内を流れる冷媒の温度を計測する温度センサーの外郭ケースもアルミニウム製（アルミニウム合金も含む）とした、空気調和機において、
前記温度センサーを前記配管に密着固定するステンレス製板バネ保持具の表面に塗装を施したことを特徴とする空気調和機。
【請求項２】
室外機の冷凍サイクル用配管をアルミニウム製（アルミニウム合金も含む）とし、前記配管に密着固定し前記配管内を流れる冷媒の温度を計測する温度センサーの外郭ケースもアルミニウム製（アルミニウム合金も含む）とした、空気調和機において、
前記温度センサーを前記配管に密着固定するステンレス製板バネ保持具の内側に絶縁シートを配したことを特徴とする空気調和機。
【発明の詳細な説明】
【技術分野】
【０００１】
本発明は室外機の冷凍サイクル用配管に温度センサーを固定した空気調和機に関するものである。
【背景技術】
【０００２】
従来、空気調和機の室外機の冷凍サイクル用配管を流れる冷媒の温度を測定するために、温度センサーを配管に板バネ保持具を用いて密着固定していた。（例えば、特許文献１参照）。
【０００３】
図５は、特許文献１に記載された従来の温度センサーを冷凍サイクル用配管に固定する手順を示した断面図を示すものである。図５に示すように、外郭ケースが種々の金属製である温度センサー５２を、まず金属製の板バネ保持具５３の右端に嵌め込んで装着固定し、板バネ保持具５３と温度センサー５２が一体になったものを配管５１に嵌め込んで装着固定することで、配管５１と温度センサー５２を密着固定していた。
【先行技術文献】
【特許文献】
【０００４】
【特許文献１】特開２００２−２１３８４６号公報
【発明の概要】
【発明が解決しようとする課題】
【０００５】
しかしながら、冷凍サイクル用配管がアルミニウム製（アルミニウム合金も含む）の場合、アルミニウム製配管の腐食を防止するため、温度センサーの外郭金属ケースもアルミニウム製（アルミニウム合金も含む）にするのが好ましい。しかしながら板バネ保持具は通常ステンレス製のため、アルミニウム製配管とアルミニウムケース製温度センサーを、そのままステンレス製板バネ保持具で固定すると、異種金属接触によりアルミニウム製配管やアルミニウムケース製温度センサーが腐食するという課題があった。
【０００６】
本発明は、前記従来の課題を解決するもので、アルミニウム製配管およびアルミニウムケース製温度センサーを、ステンレス製板バネ保持具を用いて固定しても、異種金属接触による腐食を防止することができる空気調和機を提供することを目的としている。
【課題を解決するための手段】
【０００７】
前記従来の課題を解決するために、本発明の空気調和機は、室外機の冷凍サイクル用配管をアルミニウム製（アルミニウム合金も含む）とし、前記配管に密着固定し前記配管内を流れる冷媒の温度を計測する温度センサーの外郭ケースもアルミニウム製（アルミニウム合金も含む）とした、空気調和機において、前記温度センサーを前記配管に密着固定するステンレス製板バネ保持具の表面に塗装を施したものである。
【０００８】
これにより、アルミニウム製配管およびアルミニウムケース製温度センサーとステンレス板バネ保持具との間が塗装で絶縁されるため、アルミニウム製配管およびアルミニウムケース製温度センサーの腐食を防止することができる。
【発明の効果】
【０００９】
本発明の空気調和機は、アルミニウムケース製温度センサーを、ステンレス製板バネ保持具を用いてアルミニウム製配管に密着固定しても、アルミニウムケース製温度センサーおよびアルミニウム製配管の腐食を防止することができ、空気調和機の室外機の信頼性を
向上することができる。
【図面の簡単な説明】
【００１０】
【図１】本発明の実施の形態１における温度センサーが冷凍サイクル用配管に固定されている状態を示す側面図
【図２】同実施の形態１における板バネ保持具を示す斜視図
【図３】同実施の形態１における温度センサーを冷凍サイクル用配管に固定する手順を示した断面図
【図４】同実施の形態２における温度センサーを冷凍サイクル用配管に固定する手順を示した断面図
【図５】従来の温度センサーを冷凍サイクル用配管に固定する手順を示した断面図
【発明を実施するための形態】
【００１１】
第１の発明は、室外機の冷凍サイクル用配管をアルミニウム製（アルミニウム合金も含む）とし、前記配管に密着固定し前記配管内を流れる冷媒の温度を計測する温度センサーの外郭ケースもアルミニウム製（アルミニウム合金も含む）とした、空気調和機において、前記温度センサーを前記配管に密着固定するステンレス製板バネ保持具の表面に塗装を施したことにより、アルミニウム製配管およびアルミニウムケース製温度センサーとステンレス板バネ保持具との間が塗装で絶縁されるため、アルミニウム製配管およびアルミニウムケース製温度センサーの腐食を防止することができる。
【００１２】
第２の発明は、室外機の冷凍サイクル用配管をアルミニウム製（アルミニウム合金も含む）とし、前記配管に密着固定し前記配管内を流れる冷媒の温度を計測する温度センサーの外郭ケースもアルミニウム製（アルミニウム合金も含む）とした、空気調和機において、
前記温度センサーを前記配管に密着固定するステンレス製板バネ保持具の内側に絶縁シートを配したことにより、アルミニウム製配管およびアルミニウムケース製温度センサーとステンレス板バネ保持具との間が絶縁シートで絶縁されるため、アルミニウム製配管およびアルミニウムケース製温度センサーの腐食を防止することができる。
【００１３】
以下、本発明の実施の形態について、図面を参照しながら説明する。なお、この実施の形態によって本発明が限定されるものではない。
【００１４】
（実施の形態１）
図１は本発明の実施の形態１における温度センサーが冷凍サイクル用配管に固定されている状態を示す側面図である。図１に示すように、冷凍サイクル用アルミニウム製配管１とアルミニウムケース製温度センサー２は、板バネ保持具３を用いて密着固定されている。
【００１５】
図２は同実施の形態１における板バネ保持具を示す斜視図である。図２に示すように、ステンレス製の板バネ保持具３の内部表面には、例えば絶縁性のあるエポキシ樹脂系の塗装４が施されている。
【００１６】
図３は同実施の形態１における温度センサーを冷凍サイクル用配管に固定する手順を示した断面図である。図３に示すように、まず、表面に塗装４を施した板バネ保持具３の右端に、アルミニウムケース製温度センサー２を嵌め込んで装着固定し、次に、アルミニウムケース製温度センサー２と板バネ保持具３とが一体になったものを、冷凍サイクル用アルミニウム製配管１に嵌め込んで装着固定することで、アルミニウムケース製温度センサー２と冷凍サイクル用アルミニウム製配管１とを密着固定する。
【００１７】
以上のように、本実施の形態においては、ステンレス製の板バネ保持具３の内部表面にエポキシ樹脂系の塗装４を施しているので、冷凍サイクル用アルミニウム製配管１およびアルミニウムケース製温度センサー２と板バネ保持具３とは絶縁されるため、冷凍サイクル用アルミニウム製配管１およびアルミニウムケース製温度センサー２の腐食を防止することができる。
【００１８】
（実施の形態２）
図４は同実施の形態２における温度センサーを冷凍サイクル用配管に固定する手順を示した断面図である。図４に示すように、ステンレス製の板バネ保持具３の内側に例えばポリプロピレン等の絶縁シート５を貼り付けて、まず、アルミニウムケース製温度センサー２を板バネ保持具３の右端に嵌め込んで装着固定する。そして、アルミニウムケース製温度センサー２と板バネ保持具３とが一体になったものを、冷凍サイクル用アルミニウム製配管１に嵌め込んで装着固定することで、アルミニウムケース製温度センサー２と冷凍サイクル用アルミニウム製配管１とを密着固定する。
【００１９】
以上のように、本実施の形態においては、ステンレス製の板バネ保持具３の内側にポリプロピレン等の絶縁シート５を貼り付けているので、冷凍サイクル用アルミニウム製配管１およびアルミニウムケース製温度センサー２と板バネ保持具３とは絶縁されるため、冷凍サイクル用アルミニウム製配管１およびアルミニウムケース製温度センサー２の腐食を防止することができる。
【産業上の利用可能性】
【００２０】
以上のように、本発明にかかる空気調和機は、室外機の冷凍サイクル用アルミニウム製配管にアルミニウムケース製温度センサーを、ステンレス製板バネ保持具を用いて固定しても、異種金属接触による腐食を防止することができるものであり、様々な空気調和装置や給水設備や排水設備などにも適用できる。
【符号の説明】
【００２１】
１  冷凍サイクル用アルミニウム製配管
２  アルミニウムケース製温度センサー
３  板バネ保持具
４  塗装
５  絶縁シート
【図１】
2013108719.tif 000003
【図２】
2013108719.tif 000004
【図３】
2013108719.tif 000005
【図４】
2013108719.tif 000006
【図５】
2013108719.tif 000007